(57)【要約】【課題】  チャンネル数が多い場合でもユーザの嗜好に合った番組を放送しているチャンネルを簡単に識別することができるテレビジョン表示装置を提供する。【解決手段】  検索部４は、番組情報取得部３で取得した番組情報と検索情報記憶部５に記憶した検索情報（キーワード）とを用いて所望の番組を抽出する。チャンネルインデックス発生部８は、受信可能な複数のチャンネルのチャンネル番号を、区画した複数の枠内にそれぞれ付したチャンネルインデックスを発生する。チャンネルインデックス表示制御部９は、検索部で検索した所望の番組の内、放送中の番組を放送しているチャンネルのチャンネル番号を付した枠の表示状態を、他のチャンネルのチャンネル番号を付した枠の表示状態と異ならせる。【選択図】      図１
2005080054.tif 000002
【特許請求の範囲】
【請求項１】
テレビジョン放送を受信する放送受信部と、前記テレビジョン放送で放送される複数の番組に関する番組情報を取得する番組情報取得部と、前記テレビジョン放送で放送される複数の番組の中から所望の番組を抽出するための検索情報を記憶する検索情報記憶部と、前記番組情報取得部で取得した番組情報と前記検索情報とを用いて前記所望の番組を抽出する検索部と、前記放送受信部で受信した番組の映像信号を表示する表示部とを備えたテレビジョン表示装置において、
前記放送受信部で受信可能な複数のチャンネルのチャンネル番号を、区画した複数の枠内にそれぞれ付したチャンネルインデックスを発生するチャンネルインデックス発生部と、
前記検索部で検索した前記所望の番組の内、放送中の番組を放送しているチャンネルのチャンネル番号を付した枠の表示状態を、他のチャンネルのチャンネル番号を付した枠の表示状態と異ならせるよう、前記チャンネルインデックスの表示状態を変更するチャンネルインデックス表示制御部と、
前記チャンネルインデックス表示制御部にて表示状態が変更された前記チャンネルインデックスを前記表示部に表示する映像表示制御部とを備えて構成したことを特徴とするテレビジョン表示装置。
【請求項２】
前記検索情報記憶部は、複数のユーザそれぞれが設定した検索情報をテーブルとして記憶し、
前記チャンネルインデックス表示制御部は、前記複数のユーザそれぞれの検索情報にて抽出した放送中の番組を放送しているチャンネルのチャンネル番号を付した枠の表示状態を、前記複数のユーザで互いに異なる表示状態とすることを特徴とする請求項１記載のテレビジョン表示装置。
【請求項３】
前記チャンネルインデックス表示制御部は、前記複数のユーザそれぞれの検索情報にて抽出した放送中の番組を放送しているチャンネルが重複している場合、１つの枠を領域分割して、分割した複数の領域内の表示状態を、前記複数のユーザで互いに異なる表示状態とすることを特徴とする請求項２記載のテレビジョン表示装置。
【発明の詳細な説明】
【技術分野】
【０００１】
本発明は、番組自体の映像信号及び音声信号とは別に、番組に関する付加情報（番組情報）が伝送されるテレビジョン放送（デジタル放送）を受信するテレビジョン表示装置に関する。
【背景技術】
【０００２】
デジタル放送においては、番組自体を構成する映像信号及び音声信号とは別に、番組に関する付加情報（番組情報）が伝送される。また、番組情報をインターネットのサーバから取得することもできる。ユーザは、番組情報を用いて、番組表を表示させたり、特定の分野の番組のみ選択したり、特定のキーワードが含まれる番組を抽出することができる。これらの機能は、電子番組ガイド（ＥＰＧ）と称される。
【０００３】
キーワードを用いて特定の番組を抽出するものとしては、下記特許文献１，２に記載のように、キーワードにより抽出したユーザの嗜好に合った番組の一覧を表示するものが一般的である。
【特許文献１】特開平１１−１６４２１７号公報
【特許文献２】特開２００３−３２５６８号公報
【発明の開示】
【発明が解決しようとする課題】
【０００４】
キーワードにより抽出した番組の一覧を表示する従来のテレビジョン表示装置においては、チャンネル数が多い場合、抽出した番組の全てを一覧として表示することが困難である。抽出した番組を複数ページに渡る画面として表示させるとすると、画面の切換が煩雑である。また、一覧を表示させると、番組の視聴を一時中断させなければならなかったり、一覧を番組の画面に重畳して表示する場合でも、番組の視聴の妨げとなってしまう。さらに、キーワードにより抽出した番組以外の番組（チャンネル）を選択できないという問題点もある。
【０００５】
本発明はこのような問題点に鑑みなされたものであり、チャンネル数が多い場合でもユーザの嗜好に合った番組を放送しているチャンネルを簡単に識別することができ、番組の視聴を中断させたり妨げることなくユーザの嗜好に合った番組を放送しているチャンネルを識別することができ、さらに、ユーザの嗜好に合った番組を放送していない他のチャンネルも簡単に選択することができるテレビジョン表示装置を提供することを目的とする。
【課題を解決するための手段】
【０００６】
本発明は、上述した従来の技術の課題を解決するため、テレビジョン放送を受信する放送受信部（２）と、前記テレビジョン放送で放送される複数の番組に関する番組情報を取得する番組情報取得部（３）と、前記テレビジョン放送で放送される複数の番組の中から所望の番組を抽出するための検索情報を記憶する検索情報記憶部（５）と、前記番組情報取得部で取得した番組情報と前記検索情報とを用いて前記所望の番組を抽出する検索部（４）と、前記放送受信部で受信した番組の映像信号を表示する表示部（１１）とを備えたテレビジョン表示装置において、前記放送受信部で受信可能な複数のチャンネルのチャンネル番号を、区画した複数の枠内にそれぞれ付したチャンネルインデックスを発生するチャンネルインデックス発生部（８）と、前記検索部で検索した前記所望の番組の内、放送中の番組を放送しているチャンネルのチャンネル番号を付した枠の表示状態を、他のチャンネルのチャンネル番号を付した枠の表示状態と異ならせるよう、前記チャンネルインデックスの表示状態を変更するチャンネルインデックス表示制御部（９）と、前記チャンネルインデックス表示制御部にて表示状態が変更された前記チャンネルインデックスを前記表示部に表示する映像表示制御部（１０）とを備えて構成したことを特徴とするテレビジョン表示装置を提供するものである。
【発明の効果】
【０００７】
本発明のテレビジョン表示装置によれば、チャンネル数が多い場合でもユーザの嗜好に合った番組を放送しているチャンネルを簡単に識別することができ、番組の視聴を中断させたり妨げることなくユーザの嗜好に合った番組を放送しているチャンネルを識別することができ、さらに、ユーザの嗜好に合った番組を放送していない他のチャンネルも簡単に選択することができる。
【発明を実施するための最良の形態】
【０００８】
以下、本発明のテレビジョン表示装置について、添付図面を参照して説明する。図１は本発明のテレビジョン表示装置の一実施形態を示すブロック図、図２は本発明におけるチャンネルインデックスの第１表示例を示す図、図３は本発明におけるチャンネルインデックスの第２表示例を示す図、図４は本発明におけるチャンネルインデックスの第３表示例を示す図、図５は本発明におけるチャンネル切換時の表示例を示す図、図６は本発明におけるチャンネルインデックスの第４表示例を示す図、図７は本発明におけるチャンネルインデックスの第５表示例を示す図である。
【０００９】
図１において、アンテナ１により受信したデジタル放送のテレビジョン信号波は中間周波信号（ＩＦ信号）とされて、放送受信部２に供給される。ここでは、アンテナ１を、衛星放送波を受信するパラボラアンテナとして図示しているが、地上波デジタル放送を受信するアンテナであってもよく、ケーブルであってもよい。放送受信部２は、入力されたＩＦ信号より、後述する中央制御部（ＣＰＵ）６によって指示された所定のチャンネルの映像信号及び音声信号を抽出して復号する。放送受信部２より出力された映像信号及び音声信号は、番組自体を形成する番組信号である。なお、図１では、簡略化のため、音声信号の処理系統の図示を省略し、以下、映像信号のみについて記述する。
【００１０】
ＩＦ信号は、番組情報取得部３にも供給され、番組情報取得部３は、番組自体を形成する映像信号及び音声信号とは別に送信される番組に関する付加情報（番組情報）を抽出して取得する。番組情報は例えば現在から１週間後までに放送される番組に関する情報を含む。番組情報は、検索部４及び中央制御部６に入力される。ここではアンテナ１からのＩＦ信号から直接番組情報を抽出するよう図示しているが、放送受信部２で復調した信号から番組情報を抽出するようにしてもよい。また、番組情報取得部３にインターネットとの接続機能を持たせ、番組情報をインターネットから取得してもよい。番組情報は、番組名，放送時間，ジャンル，出演者，あらすじ等を含む。
【００１１】
リモコン送信機１２からの各種の制御情報であるリモコン信号はリモコン受光部７にて受光され、光信号が電気信号に変換されて中央制御部６へと供給される。リモコン送信機１２は、電源キー１２１と、インデックス表示キー１２２と、数字キーであるチャンネルキー１２３と、上下左右のカーソルキー１２４とを有する。カーソルキー１２４の上下または左右のいずれかのキーをチャンネルアップ／ダウンキーとしてもよい。
【００１２】
中央制御部６は、リモコン送信機１２からリモコン信号に応じて各部を制御する。電源キー１２１が押された場合には、中央制御部６は、図示していない電源回路を制御してテレビジョン表示装置の電源のオン／オフを切り換える。チャンネルキー１２３またはカーソルキー１２４によるチャンネル切換の指示がされた場合には、中央制御部６は、指示された所望のチャンネルの映像信号を復号して出力するよう放送受信部２を制御する。本実施形態のテレビジョン表示装置は、リモコン送信機１２によって例えばメニューを表示させ、番組名や出演者、キーワード等の検索情報を入力することができるようになっている。
【００１３】
リモコン送信機１２によって検索情報が入力されると、中央制御部６は検索情報を検索情報記憶部５に記憶させる。以下の説明では、簡略化のため、検索情報をキーワードとする。検索部４には、番組情報取得部３にて取得した番組情報と、検索情報記憶部５に記憶したキーワードが入力される。検索部４は、番組情報よりキーワードが含まれる番組を検索して、検索結果を中央制御部６に入力する。キーワードが含まれる番組とは、例えば番組名やあらすじにそのキーワードを含む番組である。
【００１４】
リモコン送信機１２によってインデックス表示キー１２２が押されると、中央制御部６は、受信可能な全てのチャンネルを番号にて示すチャンネルインデックスを発生するようチャンネルインデックス発生部８を制御する。なお、仮に放送受信部２にて物理的に受信可能であっても非契約チャンネルであって視聴できない等の場合に、受信可能なチャンネルから除外してもよい。
【００１５】
図２に示すように、チャンネルインデックスＣＩは、一例として、受信可能なチャンネル番号を記した正方形の区画よりなる枠（タグ）の集合である。チャンネルインデックスＣＩが表示部１１に表示された状態でインデックス表示キー１２２が押された場合には、チャンネルインデックスＣＩは非表示とされる。チャンネルインデックス表示制御部９は、中央制御部６の制御により、検索部４による検索結果や選択しているチャンネルであるか否か、番組情報の有無に応じてチャンネルインデックスＣＩの表示形態を変更させる。表示形態の変更についての詳細は後に詳述する。
【００１６】
チャンネルインデックス表示制御部９にて表示形態が制御されたチャンネルインデックスＣＩは、映像表示制御部１０に供給される。映像表示制御部１０には放送受信部２より出力された映像信号が入力され、映像表示制御部１０は、映像信号とチャンネルインデックスＣＩとを合成して表示部１１に供給する。
【００１７】
以下、チャンネルインデックスＣＩの表示例について順に説明する。
＜第１表示例＞
図２は第１表示例を示している。図２に示す第１表示例は、受信画像である番組の映像信号とは別にチャンネルインデックスＣＩを表示する例である。表示部１１の画面に受信画像を表示していて、インデックス表示キー１２２が押されたら、映像表示制御部１０は受信画像を圧縮するか、受信画像の一部（例えば、下端部）を削除して縮小画像１１１を生成する。そして、映像表示制御部１０は、縮小画像１１１を表示部１１の画面下部に配置し、その上の部分にチャンネルインデックスＣＩを表示するよう、縮小画像１１１とチャンネルインデックスＣＩとを合成して表示部１１に供給する。縮小画像１１１とチャンネルインデックスＣＩとの位置関係は、図２に限定されるものではない。
【００１８】
第１表示例では、受信画像（縮小画像１１１）を表示している現在受信中のチャンネル（ここではチャンネル“３”）が白の区画にて表示されている。また、検索部４にて抽出された予め記憶させたキーワードが含まれる番組を現在放送しているチャンネルが、チャンネル番号が白抜きにて付された黒の区画にて表示されている。斜線のハッチングを付した区画は番組情報が存在しないチャンネルを示しており、他のチャンネルは梨地模様のハッチングの区画となっている。実質的に受信できない非契約チャンネルの区画を識別できるようにしてもよい。これらの表示状態は単なる例であり、視覚上識別できれば、表示状態の変更は任意でよい。区画の輝度（濃淡），色，模様のいずれかを異ならせたり、チャンネル番号を点滅させたり、あるいはこれらの組み合わせて表示状態を変更すればよい。
【００１９】
さらに、検索情報記憶部５に記憶させたキーワードが複数ある場合、番組情報に含まれるキーワードの数に応じて表示状態を変更してもよい。合致するキーワードの数の多少は、ユーザがその番組を嗜好する程度を示すと考えられ、ユーザは、チャンネルインデックスＣＩの表示状態によりどのチャンネルの番組が自分の嗜好に合っているかを容易に把握することができる。
【００２０】
＜第２表示例＞
図３は第２表示例を示している。図３に示す第２表示例は、受信画像である番組の映像信号にチャンネルインデックスＣＩを重畳して表示する例である。表示部１１の画面に受信画像を表示していて、インデックス表示キー１２２が押されたら、映像表示制御部１０は、表示部１１の画面上部に、チャンネルインデックスＣＩが受信画像１１２に重畳した状態で表示されるよう合成して表示部１１に供給する。図２の第１表示例と図３の第２表示例とは、チャンネルインデックスＣＩを受信画像（縮小画像１１１）とは別に表示するか、受信画像１１２上に重畳するかの点以外は同じであるので、共通部分の説明は省略する。
【００２１】
＜第３表示例＞
図４は第３表示例を示している。図４に示す第３表示例は、表示部１１のアスペクト比が１６：９であり、番組の映像信号のアスペクト比が４：３である場合に好適な表示例である。通常、アスペクト比４：３の映像信号をアスペクト比１６：９の表示部１１に表示する場合、アスペクト比４：３の映像信号の左右端部を順次左右方向に拡大して、アスペクト比４：３の映像信号をアスペクト比１６：９の表示部１１の全体に表示する非線形表示モードにて表示する場合が多い。
【００２２】
アスペクト比４：３の映像信号を非線形表示モードにて表示部１１に表示していて、インデックス表示キー１２２が押されたら、映像表示制御部１０は、非線形表示モードを解除して、アスペクト比４：３の映像信号である受信画像１１３を表示部１１の例えば左端部に寄せ、その残りの領域にチャンネルインデックスＣＩを表示するよう、受信画像１１３とチャンネルインデックスＣＩとを合成して表示部１１に供給する。なお、映像信号のアスペクト比は番組情報により認識することができる。この場合、チャンネルインデックスＣＩは、チャンネル番号を記した区画を縦方向に並べてもよい。この図４の第３表示例においても、受信画像１１３とチャンネルインデックスＣＩとの表示状態や表示位置以外の点は第１，第２表示例と同じであるので、共通部分の説明は省略する。
【００２３】
図５は、リモコン送信機１２のチャンネルキー１２３またはカーソルキー１２４によってチャンネル切換の指示がされた場合の表示例を示している。ここでは、図２の第１表示例での表示状態を示している。図２ではチャンネル“３”を受信しており、一例としてチャンネル“１０”に切り換えたとすると、チャンネル“３”の区画は現在受信中のチャンネルを示す白から、現在受信中でもなくキーワードが含まれる番組を放送しているチャンネルでもない通常のチャンネルを表す梨地模様へと変更され、チャンネル“１０”が白へと変更される。これに併せて、縮小画像１１１の上部に、チャンネル切換直後の所定期間（例えば、数秒間）、番組情報を表示する。
【００２４】
＜第４表示例＞
図６は第４表示例を示している。図６に示す第４表示例は、複数人のユーザがそれぞれキーワードを設定した場合に好適なチャンネルインデックスＣＩの表示例を示している。検索情報記憶部５に、複数人のユーザに対応させたキーワードをテーブルとして記憶しておく。図６の例では、ユーザ“よしお”にて設定したキーワードが含まれる番組を現在放送しているチャンネルが、チャンネル番号が白抜きにて付された黒の区画にて表示されている。ユーザ“母”にて設定したキーワードが含まれる番組を現在放送しているチャンネルが、縦線のハッチングを付した区画にて表示され、ユーザ“父”にて設定したキーワードが含まれる番組を現在放送しているチャンネルが、横線のハッチングを付した区画にて表示されている。現在受信中のチャンネルが白の区画であるのは、上記の表示例と同様である。
【００２５】
複数のユーザでキーワードが共通していると、同じチャンネルを複数のユーザそれぞれに自分が設定したキーワードが含まれる番組を放送しているチャンネルであることを知らしめなければならない。そこで、チャンネル“１０”，“１７”にて示しているように、１つのチャンネルの区画を領域分割し、それぞれの領域をそれぞれのユーザの表示状態にて表示している。チャンネル“１０”の区画は２分割され、ユーザ“よしお”とユーザ“母”とが設定したキーワードが含まれる番組を放送しているチャンネルであることを認識することができ、チャンネル“１７”の区画は３分割され、ユーザ“よしお”とユーザ“母”とユーザ“父”とが設定したキーワードが含まれる番組を放送しているチャンネルであることを認識することができる。
【００２６】
図６に示す第４表示例では、好ましい表示例として、チャンネルインデックスＣＩの上側にチャンネルインデックスＣＩに近接させて、どの表示状態がどのユーザに対応しているかを示す凡例ＣＩｎを表示している。上述した第２，第３表示例のチャンネルインデックスＣＩにおいても、第４表示例のチャンネルインデックスＣＩの如くしてもよい。
【００２７】
＜第５表示例＞
図７は第５表示例を示している。図７に示す第５表示例は、チャンネルインデックスＣＩの区画を受信画像１１４のタグとして表示すると共に、チャンネル切換の指示がされた場合にチャンネルインデックスＣＩをスクロールさせる表示例である。図７（Ａ）に示すように、現在、チャンネル“３”を受信しており、チャンネル“３”の区画がタグ化された状態で、受信画像１１４に連結して表示されている。そして、一例としてチャンネル“２６”に切り換えたとする。チャンネルインデックスＣＩは上下方向に３段で表示されており、図７（Ａ）ではチャンネル“２６”は中段に位置している。チャンネル“２６”に切り換えたら、図７（Ｂ）に示すように、チャンネル“２６”を含む元の中段を下段に移動させ、チャンネル“３”を含む元の下段を上段に移動させる。元の上段は中段へと移動させる。新たに、チャンネル“２６”の区画がタグ化された状態で、受信画像１１４に連結して表示されている。
【００２８】
以上説明したチャンネルインデックスＣＩを用いた本実施形態では、チャンネル番号を付した枠を表示するだけであるので、ユーザが識別できる範囲で枠を小さく表示でき、全てのチャンネルを並べてもさほどの面積にならない。よって、チャンネル数が多い場合でもユーザの嗜好に合った番組を放送しているチャンネルを簡単に識別することができ、番組の視聴を中断させたり妨げることなくユーザの嗜好に合った番組を放送しているチャンネルを識別することができる。従来のように抽出した番組のみ一覧にて表示するものではないので、ユーザの嗜好に合った番組を放送していない他のチャンネルも簡単に選択することができる。
【図面の簡単な説明】
【００２９】
【図１】本発明のテレビジョン表示装置の一実施形態を示すブロック図である。
【図２】本発明におけるチャンネルインデックスの第１表示例を示す図である。
【図３】本発明におけるチャンネルインデックスの第２表示例を示す図である。
【図４】本発明におけるチャンネルインデックスの第３表示例を示す図である。
【図５】本発明におけるチャンネル切換時の表示例を示す図である。
【図６】本発明におけるチャンネルインデックスの第４表示例を示す図である。
【図７】本発明におけるチャンネルインデックスの第５表示例を示す図である。
【符号の説明】
【００３０】
２  放送受信部
３  番組情報取得部
４  検索部
５  検索情報記憶部
６  中央制御部
８  チャンネルインデックス発生部
９  チャンネルインデックス表示制御部
１０  映像表示制御部
１１  表示部
【図１】
2005080054.tif 000003
【図２】
2005080054.tif 000004
【図３】
2005080054.tif 000005
【図４】
2005080054.tif 000006
【図５】
2005080054.tif 000007
【図６】
2005080054.tif 000008
【図７】
2005080054.tif 000009